(57)【要約】【課題】便所で便座台に着座して身体の洗浄ができ、便座台の座り心地を良くし、小便の飛散を削減し安全と快適な環境が保てる場所にする事である。【解決手段】便器本体４を受皿部分４Ａと排水部分４Ｂとに分離と結合ができ、受皿部分４Ａを排泄高Ａと洗浄高Ｂと小便使用高Ｃとに可動機器４Ｅを用いて可動でき、排泄高Ａは通常大便の使用、洗浄高Ｂは便座台３Ａに座ると受皿部分４Ａの身体保護部分４ｈに密着でき、受皿部分４Ａ取付の配管４ｇから洗浄水を身体に向かって放水し尻周辺の汚れを洗浄、その後空気を通し水分除去もできる、小便使用高Ｃは受皿部分４Ａを高くし身体との落差を減少し小便の飛散を防止をする、便座台３Ａは身体に柔らかく対応し爽やかな環境の転倒防止便所となる。【選択図】図１
2005105803.tif 000002
【特許請求の範囲】
【請求項１】
便器本体は受皿部分と排水部分とに分離でき結合もできる構造とし、受皿部分上端の一部分を高く上げ腰保護部分を設ける、腰保護部分と受皿部分上端とに一周する形状で配管を取付、配管には放水用の複数小穴をあけ身体保護材を取付、配管には洗浄水と空気とを通す事ができる事と、
受皿部分は可動機器で排泄高Ａ、洗浄高Ｂ、小便使用高Ｃとに可動でき、受皿部分を排泄高Ａに固定すると大便使用となり、受皿部分を洗浄高Ｂに固定し便座台に着座すると身体の腰と股は腰保護部分と受皿部分上端との身体保護材に密着でき、身体に向けて洗浄水を放水すると汚れは洗浄でき後に空気を放出して身体付着の水分を除去する、受皿部分を小便使用高Ｃに固定し男性の小便器として使用でき身体と受皿部分との落差が減少し小便の飛散が防止できる、身体の汚れを洗浄し清潔に保つ事と便器周辺の汚れもを削減できる事を特徴とする転倒防止便所。
【請求項２】
可動架台左右上部便座に袋形状にして内部に粘液性物質を入れ密封した形状の便座台を作り接合する、便座台に座ると尻と股の形状に併せ粘液が移動し身体の大きさの違いにも素早く反応でき、快適な座りが確保できる事を特徴とする請求項１記載の転倒防止便所。
【発明の詳細な説明】
【技術分野】
【０００１】
本発明は、便所内取付の機器を整備して、病気、若しくは体の不具合或いは加齢からおきる尿失禁並びに生理からおきる身体の汚れを素早く洗浄でき、身体を何時も清潔に維持できる便所に関するものである。
【背景技術】
【０００２】
現在、一般的に使用されている便器を大別すると腰掛便器と和風便器と小便器とに分かれる、腰掛便器は便器の形状に併せ便座が取付られている、この形態が主流を占め市場においても且使用状況においても大半を占める状況にある、この腰掛便器で小便を排泄するには便器の取付高さが低いため小便の飛散も度々あり対応が難しい状態であった、又便座に座り身体に付着した汚れを洗浄する事はできない状況であった。
【０００３】
腰掛便器の便座は限られた便器の形状に併せ作られているのが現状であり、その為、人間が便座に座る状態に対しての配慮が少なく感じられ、着座中に腰とか股の部分に苦痛を感じる事もあつた。
【０００４】
この改善策として、便器本体４を受皿部分４Ａと排水部分４Ｂとに分離でき且結合できる構造とし使用方法に併せて受皿部分４Ａの高さを変える事である、即ち、受皿部分４Ａを排泄高Ａに固定すると従来の使用方法と同じで大便使用となり、便座台３Ａに着座しても受皿部分４Ａに触れる事も無く排泄ができ排水管４ｆによって排水ができる、生理とか尿失禁とかによって身体が汚れたときは受皿部分４Ａを洗浄高Ｂの高さに可動固定し着座使用する、身体の重みは便座台３Ａにて支持し腰保護部分４Ｃ取付の配管４ｇで身体の腰背中下部分を覆い、腰並びに股にいたっては受皿部分４Ａ上端配管４ｇに密着する、配管４ｇは受皿部分４Ａの上端を一周する形状となり身体に触れる部分に身体保護材４ｈを取付ける、この身体保護材４ｈによって身体の保護と洗浄水が外に漏れる事の防止ができる、この状態で配管４ｇから身体に向かって洗浄水が放水され汚れ部分にあたり洗浄される、一定時間の洗浄が終り放水を止め更に配管４ｇに空気を通し身体に向けてあてると身体に付着している洗浄水の除去ができる、この洗浄高Ｂにおいても着座して大便とか小便の使用もでき排水管４ｆによって排水もできる、男性の小便は受皿部分４Ａを小便使用高Ｃに固定し排泄する、受皿部分４Ａが高くなり身体との落差が減少し小便の飛散も減少でき便器周辺の汚れが改善される。
【０００５】
使用直前に受皿部分４Ａ上端の配管４ｇの洗浄水を少量流すと、受皿部分４Ａの表面が濡れることで排泄物の付着が減少する、排泄物の付着が減少すると排水管４ｆから排出する水の量を大幅に減らす事ができる。
【０００６】
便座の改善策として、可動架台１Ａの左右上部便座３に柔軟材を用いて袋形状に製作されこの中に粘液性物質３Ｂを容積の７０％から８０％程度入れ空気を抜き密封する、この形状が便座台３Ａとなり左右対称に便座３に接合する、便座台３Ａに座ると尻と股の形状に併せ粘液が移動し身体に素早く反応でき苦痛も無くなる。
【特許文献１】特開２００２−２０００１０号公報
【特許文献２】特開１９９８−２３７９２７号公報
【非特許文献１】東陶機器株式会社著  ＴＯＴＯ総合カタログ  ２００２−２００３
【発明の開示】
【発明が解決しようとする課題】
【０００７】
解決しようとする問題点は、病気とか加齢による尿失禁並びに生理に使用するオムツとかあて物等の汚物の取替と、身体に付着した汚れを便所の中でしかも便座台に着座して洗浄が行える事と、便座の座り心地を快適にして、男性の小便による飛散を削減でき衛生的な環境を作り安心と安全とが確保できることである。
【課題を解決するための手段】
【０００８】
本発明は、便器本体を受皿部分と排水部分とに分離でき且結合でき、使用方法に合わせ可動機器を用いて受皿部分の高さを変える事である、排泄高Ａの時は受皿部分と排水部分とは結合し収納状態となり、洗浄高Ｂの時は受皿部分上端の身体保護材と便座台と同じ程度の高さとし、便座台に着座した人の腰背中下部と尻と股の部分と身体保護材とは密着する、この状態で受皿部分から放水される洗浄水で身体の汚れを除去でき、洗浄後の水は受皿部分から排水部分に排水される、便座台も柔軟な形状とすることで受皿部分と便座台とで身体に対しても柔らかく対応する状態となる、小便使用高Ｃの時は受皿部分を高く上げ男性の小便に対応する、受皿部分が高くなる事で身体との落差が減少し小便による飛散が防止できる、受皿部分の上端配管からの洗浄水を用いて使用直前に受皿部分の表面を濡らし排泄物の付着を大幅に削減でき衛生的で安全が確保できる事が最も主要な特徴である。
【発明の効果】
【０００９】
本発明の転倒防止便所は、排泄する場所だけでなく洗浄ができる場所を提供することであり、高齢者とか身体が不具合とか病気治療中の方々とか生理中の方において便所内で身体を洗浄し清らかな状態になり、且従来の冷たい便所の雰囲気から暖かい爽やかな小部屋としての落着いた雰囲気に変える利点がある。
【発明を実施するための最良の形態】
【００１０】
便所内は図８に示したように、使用前の状態は腰掛けできる形状の固定架台１と可動架台１Ａとの組合せ状態の架台だけで側面壁１１には硬質な物の取付を省き固定架台１及び可動架台１Ａ内に収納し安全を確保と、使用する時には固定架台１に到着し操作スイッチを押し便座保護カバー２を開き次の動きと確実な行動ができ安心が得られ、排泄動作と洗浄動作とが同一場所でしかも手洗いが着座して行える状況を実現した。
【実施例１】
【００１１】
本発明を説明すると、図１は全体の状況を示し、図３は便器本体４の動きを側面図で示したように、便器本体４を受皿部分４Ａと排水部分４Ｂとに分離でき、排水部分４Ｂの上部受口に受皿部分４Ａの排水口が入り込む状態で結合する、排水部分４Ｂの上部受口には漏水防止の為パッキンを取付ける、排水部分４Ｂは床１４に固定し下水等への排水管に接続し排泄物を排出する、受皿部分４Ａは可動軸４Ｄと可動機器４Ｅを用いて排泄高Ａと洗浄高Ｂと小便使用高Ｃとに上下可動できる、受皿部分４Ａの上端の一部分を高く上げ腰保護部分４Ｃを設ける、この腰保護部分４Ｃと受皿部分４Ａ上端に複数の小穴のあいた配管を一周する形状で取付け、配管４ｇには身体保護材４ｈを着座状態で身体に接する部分に取付る、配管４ｇには洗浄水と空気を通すことができる、受皿部分４Ａの排水口上部に排水管４ｆを２ヶ所取付渦を巻くように放水し排出する。
図４は排泄高Ａを側面図で示すように、受皿部分４Ａと排水部分４Ｂとは結合状態となり、受皿部分４Ａの腰保護部分４Ｃ並びに上端は便座台３Ａより低く、便座台３Ａに着座しても受皿部分４Ａに触れる事もなく排泄ができる、受皿部分４Ａは通常この排泄高Ａに設定し他の使用時には可動させる。
図５は洗浄高Ｂを側面図で示すように、受皿部分４Ａの上端の身体保護材４ｈと便座台３Ａとほぼ同じ高さに可動軸４Ｄと可動機器４Ｅを用いて上げ固定する、身体に付けたあて物を廃棄し、腰保護部分４Ｃに接する状態で便座台３Ａに着座すると身体の腰背中下部から尻と股は身体保護材４ｈに密着する、オムツとかその他のあて物を使用するため尻周辺の汚れが発生する、配管４ｇの洗浄水は身体に向かって放水されるので身体に付着した汚れを洗浄する、局部の洗浄は市販の洗浄機器を併せて使用もできる、洗浄後配管４ｇに空気を通し身体に向かって放出し水分の除去ができる、この洗浄高Ｂにおいても大便の使用も可能である。
図６は小便使用高Ｃを側面図で示すように、受皿部分４Ａを可動軸４Ｄと可動機器４Ｅとで高く上げ固定する、男性の小便は身体と受皿部分４Ａとの落差が少ない程飛散が減少する、子供との関係で受皿部分４Ａの高さを可変すると更に便利になる、洗浄高Ｂ並びに小便使用高Ｃは使用後排泄高Ａに戻す。
便座台３Ａに着座状態若しくは立った状態でも簡単に手洗いができ、何時も清潔な手で衣服に触る事ができる。
【００１２】
次に、排泄高Ａでの使用、洗浄高Ｂでの使用、小便使用高Ｃでの使用、其々の使用直前に配管４ｇの洗浄水を少量排出し受皿部分４Ａの表面を濡らすと排泄物の付着が大幅に減らすことができ、排水管４ｆから流す排水量を大幅に削減でき更に便器の汚れも減少でき爽やかな雰囲気となる。
【００１３】
図２は平面状況を示し、図７は便座台３Ａの状況を示すように、可動架台１Ａ左右上部便座３に便座台３Ａを接合する、便座台３Ａは柔軟材を用いた袋形状に製作されこの中に粘液性物質３Ｂを容積の７０％〜８０％程度入れ空気を抜き密閉する、この形状が便座台３Ａとなる、便座台３Ａに座ると尻と股の形状に素早く柔軟材が移動し柔らかさを感じ苦痛もなくなる。
【産業上の利用可能性】
【００１４】
便所は誰もが、汚い、臭い、との感覚で認識していた状態を打破し、暖かくて爽やかな小部屋にできる、住宅の片隅におかれている状況から一番使い易い場所にすることもできる。
【図面の簡単な説明】
【００１５】
【図１】転倒防止便所で全体の状況を示した説明図である。（実施例１）
【図２】転倒防止便所で全体の状況を示した平面図である。（実施例２）
【図３】転倒防止便所で便器の状況を示した側面図である。（実施例３）
【図４】転倒防止便所で排泄高Ａを示した側面図である。（実施例４）
【図５】転倒防止便所で洗浄高Ｂを示した側面図である。（実施例５）
【図６】転倒防止便所で小便使用高Ｃを示した側面図である。（実施例６）
【図７】転倒防止便所で便座台の状況を示した説明図である。（実施例７）
【図８】転倒防止便所で使用前の状況を示した説明図である。（実施例８）
【符号の説明】
【００１６】
１      固定架台
１Ａ    可動架台
１ｅ    固定架台前面部扉
１ｆ    可動架台扉
１ｈ    斜め部分
２      便座保護カバー
３      便座
３Ａ    便座台
３Ｂ    粘液性物質
４      便器本体
４Ａ    受皿部分
４Ｂ    排水部分
４Ｃ    腰保護部分
４Ｄ    可動軸
４Ｅ    可動機器
４ｆ    排水管
４ｇ    洗浄水管
４ｈ    身体保護材
１１    側面壁
１２    天井
１３    後壁
１４    床
１５    換気扇
１６    排気用ダクト
１７    トイレットロール紙保持具
１９    手洗い容器
１９Ａ  上下可動架台
１９Ｂ  前後可動架台
１９Ｃ  手拭掛け
１９ｄ  上下可動機器
１９ｅ  前後可動機器
２１    操作スイッチ
２２    手拭
【図１】
2005105803.tif 000003
【図２】
2005105803.tif 000004
【図３】
2005105803.tif 000005
【図４】
2005105803.tif 000006
【図５】
2005105803.tif 000007
【図６】
2005105803.tif 000008
【図７】
2005105803.tif 000009
【図８】
2005105803.tif 000010